(57)【要約】【課題】医用装置を駆動させるための使用条件の設定を簡便化する病院情報システムを提供する。【解決手段】患者を特定する情報と医用装置の患者別使用条件値とを関連づけた患者別テーブルを予め記憶しておく。医用装置等の外部機器から患者を特定する情報を受信すると、患者別テーブルを参照して、受信した患者を特定する情報と関連づけられた患者別使用条件値を取りだす。そして、取り出した患者別使用条件値をネットワークを介して医用装置に初期設定する。【選択図】図２
2009087112.tif 000002
【特許請求の範囲】
【請求項１】
ネットワークによって医用装置に接続された病院情報システムであって、
患者を特定する情報と、前記医用装置の患者別使用条件値とを関連づけた患者別テーブルを記憶した記憶部と、
前記医用装置から前記患者を特定する情報を受信する受信部と、
前記患者別テーブルを参照し、前記受信した患者を特定する情報と関連づけられた前記患者別使用条件値を前記医用装置に初期設定する設定部と、
を備えること、
を特徴とする病院情報システム。
【請求項２】
前記受信部は、
前記医用装置から前記患者を特定する情報と前記患者別使用条件値とを受信し、
前記記憶部は、
前記受信部が受信した前記患者を特定する情報と前記患者別使用条件値とを前記患者別テーブルで関連づけること、
を特徴とする請求項１に記載の病院情報システム。
【請求項３】
前記患者を特定する情報と患者の性別と対象科が入力される受付端末又は問診端末とネットワークによってさらに接続され、
前記記憶部は、
前記性別及び前記対象科と、前記医用装置の一般使用条件値とを関連づけた初期値テーブルをさらに記憶し、
前記受信部は、
前記受付端末又は問診端末から患者の前記性別と前記対象科を予め受信しておき、
前記設定部は、
前記患者別テーブルに前記受信した患者を特定する情報がなければ、前記初期値テーブルを参照して、前記予め受信した患者の性別及び対象科と関連づけられた前記一般使用条件値を前記医用装置に初期設定すること、
を特徴とする請求項１に記載の病院情報システム。
【請求項４】
前記患者を特定する情報が入力される受付端末又は問診端末とネットワークによってさらに接続され、
前記受付端末又は問診端末に入力された前記患者を特定する情報に予め印を付しておく特定部をさらに備え、
前記設定部は、
前記受信した患者を特定する情報が前記特定部により予め印付けされていなければ、初期設定を中止すること、
を特徴とする請求項１に記載の病院情報システム。
【発明の詳細な説明】
【技術分野】
【０００１】
本発明は、医療診断装置や治療装置等の医用装置に接続され、使用条件を医用装置に設定する病院情報システムに関する。
【背景技術】
【０００２】
患者を治療又は診断する際には、Ｘ線診断装置やＸ線ＣＴ装置やＭＲＩ装置や超音波診断装置や核医学診断装置等の医療診断装置、又は放射線治療装置等の治療装置といった医用装置が用いられる。この医用装置を用いて患者を治療又は診断する場合には、患者の性別や体格や目的や問診科等によって異なる各種の使用条件を医用装置に入力しなければならない（例えば、「非特許文献１」参照。）。例えば、Ｘ線診断装置の場合、Ｘ線の照射条件や画像処理装置の機能等の多岐に亘る項目を入力する必要がある。
【０００３】
この使用条件の項目は多数におよぶため、使用条件の設定は煩雑となり、医用装置を用いた診断又は治療の効率低下を招いていた。また、この使用条件の項目は多数におよぶため、使用条件の設定ミスが起こるおそれもあり、使用条件の設定ミスが起こると、患者の診断又は治療を再度やり直さなければならない場合もあり、患者に対する負担ともなっていた。
【０００４】
【非特許文献１】“被ばく低減のためのエックス線I.I.劣化推定指針の調査研究  平成１４年度報告書”、［online］、平成１５年３月、社団法人  日本画像医療システム工業会、［平成１９年３月２２日検索］、インターネット〈URL: http://www.jira-net.or.jp/information/file/200305_JKAHIBAKUC_houkokusho.pdf〉
【発明の開示】
【発明が解決しようとする課題】
【０００５】
本発明は、上記事情に鑑みてなされたものであり、その目的とするところは、医用装置を駆動させるための使用条件の設定を簡便化する病院情報システムを提供することにある。
【課題を解決するための手段】
【０００６】
上記課題を解決するために本発明では、ネットワークによって医用装置に接続された病院情報システムであって、患者を特定する情報と、前記医用装置の患者別使用条件値とを関連づけた患者別テーブルを記憶した記憶部と、前記医用装置から前記患者を特定する情報を受信する受信部と、前記患者別テーブルを参照し、前記受信した患者を特定する情報と関連づけられた前記患者別使用条件値を前記医用装置に初期設定する設定部と、を備えること、を特徴とする。
【発明の効果】
【０００７】
本発明によれば、過去に診断又は治療を経験した患者であれば、操作者が再度使用条件値を一から設定する必要がなくなるため、診断又は治療の効率が向上する。また、使用条件値の設定ミスが低減し、診断又は治療をやり直すことによる患者の負担を低減することができる。
【発明を実施するための最良の形態】
【０００８】
以下、本発明に係る病院情報システムの好適な実施形態について、図面を参照しながら具体的に説明する。
【０００９】
（第１の実施形態）
図１は、病院情報システム１００を含むネットワークを示すネットワーク図である。
【００１０】
病院内には、病院情報システム１００、受付端末２００、問診端末３００、及び医用装置４００がネットワークを介してデータの送受信が可能に接続されている。病院情報システム１００、受付端末２００、及び問診端末３００は、ＣＰＵ等の演算制御装置、ＲＡＭ等の主記憶装置、ＨＤＤ等の外部記憶装置、通信インターフェース、キーボードやマウス等の入力インターフェース、及びモニタ等の出力インターフェースで構成された所謂コンピュータである。医用装置４００は、患者を撮影若しくは観察する手段、又は患者を治療する手段を有する診断又は治療装置である。例えば、医用装置４００は、Ｘ線診断装置、Ｘ線ＣＴ装置、ＭＲＩ装置、超音波診断装置、核医学診断装置、又はＸ線治療装置等の診断又は治療装置である。
【００１１】
受付端末２００は、病院の受付に設置され、患者が来院していることを病院情報システム１００に通知する。問診端末３００は、診療医に使用される。受付端末２００及び問診端末３００は、患者ＩＤを病院情報システム１００に送信することで、患者ＩＤで表される患者が来院していることを病院情報システム１００に通知する。受付端末２００では、診察カードから患者ＩＤを読み取り、又は患者ＩＤを入力インターフェースを用いて入力することで、来院した患者の患者ＩＤを取得する。問診端末３００では、患者ＩＤを入力インターフェースを用いて入力し、又は患者ＩＤを表すバーコードをカルテから読み取ることで、来院した患者の患者ＩＤを取得する。
【００１２】
病院情報システム１００は、患者の受付け、診療、放射線等による検査のオーダー、放射線等による検査、処方等を患者ＩＤ等の患者を特定する情報と結びつけて管理する。また、この病院情報システム１００では、医用装置４００から患者ＩＤ等の患者を特定する情報を受信すると、患者ＩＤで特定される患者において過去に用いられた患者別の使用条件値を医用装置４００に送信する。医用装置４００は、受信した使用条件値を、医用装置４００を構成する各要部を駆動させる制御パラメータとして使用する。
【００１３】
病院情報システム１００から医用装置４００に送信される使用条件値は、医用装置４００が駆動する駆動量を示す各種のパラメータである。
【００１４】
図２は、第１の実施形態に係る病院情報システム１００の構成を示すブロック図である。
【００１５】
病院情報システム１００は、患者別テーブル記憶部１２０、使用条件設定部１３０、及びテーブル作成部１１０から構成される。患者別テーブル記憶部１２０は、外部記憶装置及び主記憶装置を含み構成される。使用条件設定部１３０は、演算制御部と通信インターフェースを含み構成される。テーブル作成部１１０は、演算制御部と通信インターフェースを含み構成される。
【００１６】
患者別テーブル記憶部１２０は、図３に示す患者別テーブル１７０を記憶している。図３は、第１の実施形態に係る患者別テーブル１７０を示す図である。
【００１７】
患者別テーブル１７０は、患者及び医用装置４００の組み合わせ毎の使用条件値とを対応付けたテーブルである。即ち、患者の過去に用いられた患者別の使用条件値、換言すると患者別使用条件が格納されている。この患者別テーブル１７０は、複数のレコードからなり、各レコードには、患者ＩＤ項目１７１と医用装置種別項目１７２と使用条件値項目１７３とが対応付けられている。患者ＩＤ項目１７１には、過去に医用装置で診断又は治療を受けた患者の患者ＩＤが記録されている。医用装置種別項目１７２には、過去に診断又は治療に用いられたＸ線診断装置等の医用装置４００の種類が記録されている。使用条件値項目１７３には、患者ＩＤで特定される患者が診断又は治療を受けた際に医用装置４００で用いられた使用条件値が記録されている。
【００１８】
使用条件値項目１７３は、例えば、過去に持ちられた医用装置４００がＸ線診断装置の場合、Ｘ線管電圧値が記録された撮影管電圧値項目１７４、Ｘ線管電流値が記録された撮影管電流値項目１７５、撮影時間が記録された撮影時間項目１７６、術式が記録された術式選択項目１７７、撮影自動設定のＯｎ又はＯｆｆを示す値が記録された撮影自動設定Ｏｎ／Ｏｆｆ項目１７８、自動露出の選択の有無を示す値が記録された自動露出選択項目１７９、フィルム濃度を示す値が記録されたフィルム濃度設定項目１８０、透視撮影のおけるＸ管電圧値が記録された透視管電圧値項目１８１、透視撮影におけるＸ線管電流値が記録された透視管電流値項目１８２、透視撮影の自動設定のＯｎ又はＯｆｆを示す値が記録された透視自動設定Ｏｎ／Ｏｆｆ設定項目１８３、パルス幅を示す値が記録されたパルス幅設定項目１８４、パルスのレートが設定されたパルスレート設定項目１８５からなる。
【００１９】
使用条件設定部１３０は、患者別テーブル１７０において、医用装置４００から受信した患者ＩＤと医用装置種別とに関連づけられている使用条件値を医用装置４００に初期値として設定する。医用装置４００からは、患者ＩＤと医用装置種別とを表す情報が送信され、使用条件設定部１３０は、受信部となり当該情報を受信する。使用条件設定部１３０は、患者ＩＤと医用装置種別を受信すると、患者別テーブル１７０を参照する。そして、受信した患者ＩＤが患者ＩＤ項目１７１に記録され、かつ受信した医用装置種別が医用装置種別項目１７２に記録されたレコードを検索する。該当するレコードが見つかると、使用条件設定部１３０は、該当するレコードの使用条件値項目１７３に記録されている使用条件値を取り出す。使用条件値を取り出すと、使用条件設定部１３０は、患者ＩＤを送信した医用装置４００に対して、取り出した使用条件値を送信する。
【００２０】
使用条件値を受信した医用装置４００では、オペレータの操作によって、受信した使用条件値の修正及び確定が行われる。使用条件値を確定する操作がなされると、医用装置４００は、確定した使用条件値に従って駆動を開始する。
【００２１】
テーブル作成部１１０は、患者別テーブル１７０にレコードを追加し、又はレコードを修正する。医用装置４００からは、診断又は治療に用いられた使用条件値が患者ＩＤと医用装置種別を示す情報とともに送信されてくる。テーブル作成部１１０は、受信した患者ＩＤと医用装置種別の組み合わせを記録したレコードが患者別テーブル１７０に存在しなければ、新規のレコードを追加して、追加したレコードに受信した使用条件値を記録する。テーブル作成部１１０は、受信した患者ＩＤと医用装置種別の組み合わせを記録したレコードが患者別テーブル１７０に存在するが、関連づけられた使用条件値項目１７３と受信した使用条件値とが異なる場合は、レコードの使用条件値項目１７３を受信した使用条件値に書き替える。
【００２２】
図４は、このような病院情報システム１００において、患者別テーブル１７０の作成動作を示すフローチャートである。
【００２３】
まず、医用装置４００が送信した患者ＩＤと医用装置種別と使用条件値とを示す情報を受信すると（Ｓ０１）、テーブル作成部１１０は、患者別テーブル１７０から、受信した患者ＩＤと医用装置種別の組み合わせが患者ＩＤ項目１７１と医用装置種別項目１７２に記録されたレコードを検索する（Ｓ０２）。
【００２４】
該当するレコードが見つかると（Ｓ０２，Ｙｅｓ）、受信した使用条件値と該当レコードの使用条件値項目１７３に記録された使用条件値とを比較する（Ｓ０３）。比較の結果、受信した使用条件値と該当レコードの使用条件値項目１７３に記録された使用条件値とが一致していれば（Ｓ０３，Ｙｅｓ）、処理を終了する。
【００２５】
一方、比較の結果、受信した使用条件値と該当レコードの使用条件値項目１７３に記録された使用条件値とが一致していなければ（Ｓ０３，Ｎｏ）、該当レコードの使用条件値項目１７３を受信した使用条件値に書き替える（Ｓ０４）。
【００２６】
また、該当するレコードが見つからなければ（Ｓ０２，Ｎｏ）、受信した患者ＩＤと医用装置種別と使用条件値とを関連づけたレコードを新規に作成し（Ｓ０５）、新規に作成したレコードを患者別テーブル１７０に追加する（Ｓ０６）。
【００２７】
図５は、このような病院情報システム１００において、使用条件値を医用装置４００に設定する動作を示すフローチャートである。
【００２８】
まず、医用装置４００は、病院情報システム１００に対して、患者ＩＤと医用装置種別を示す情報を送信する（Ｓ１１）。病院情報システム１００において、使用条件設定部１３０は、患者ＩＤと医用装置種別を示す情報を受信すると、患者別テーブル１７０を参照して、受信した患者ＩＤと医用装置種別が患者ＩＤ項目１７１と医用装置種別項目１７２に記録されたレコードを検索する（Ｓ１２）。
【００２９】
使用条件設定部１３０は、該当するレコードを特定すると、該当するレコードの使用条件値項目１７３に記録されている使用条件値を取り出す（Ｓ１３）。使用条件値を取り出すと、使用条件設定部１３０は、取り出した使用条件値を医用装置４００に送信する（Ｓ１４）。
【００３０】
医用装置４００では、受信した使用条件値を表示し（Ｓ１５）、入力インターフェースを用いた修正操作がなされると（Ｓ１６，Ｙｅｓ）、その修正操作に従って受信した使用条件値を修正する（Ｓ１７）。そして、入力インターフェースを用いた確定操作がなされると（Ｓ１８，Ｙｅｓ）、確定された使用条件値に従った駆動を開始する（Ｓ１９）。
【００３１】
図６は、医用装置４００の操作卓４１０を示す模式図である。
【００３２】
医用装置４００は、入出力インターフェースとして、操作卓４１０を備える。操作卓４１０には、タッチパネル操作部４２０が配置されている。タッチパネル操作部４２０には、使用条件を入力する設定画面が表示される。受信した使用条件値は、この設定画面に表示される。この操作卓４１０に配された図示しない確定ボタンが押下されると、設定画面に表示された使用条件値で駆動を開始する。
【００３３】
図７は、医用装置４００のタッチパネル操作部４２０に表示される設定画面を示す模式図である。
【００３４】
設定画面には、撮影管電圧値フィールド４３１、撮影管電流値フィールド４３２、撮影時間フィールド４３３、術式選択フィールド４３４、撮影自動設定Ｏｎ／Ｏｆｆフィールド４３５、自動露出選択フィールド４３６、フィルム濃度設定フィールド４３７、透視管電圧値フィールド４３８、透視管電流値フィールド４３９、透視自動設定Ｏｎ／Ｏｆｆ設定フィールド４４０、パルス幅設定フィールド４４１、及びパルスレート設定フィールド４４２が予め用意されている。
【００３５】
使用条件設定部１３０から使用条件値を受信すると、医用装置４００の撮影管電圧値フィールド４３１には、使用条件設定部１３０が送信した使用条件値のうち、Ｘ線管電圧値が表示される。撮影管電流値フィールド４３２には、使用条件設定部１３０が送信した使用条件値のうち、Ｘ線管電流値が表示される。撮影時間フィールド４３３には、使用条件設定部１３０が送信した使用条件値のうち、撮影時間が表示される。術式選択フィールド４３４には、使用条件設定部１３０が送信した使用条件値のうち、術式が表示される。撮影自動設定Ｏｎ／Ｏｆｆフィールド４３５には、使用条件設定部１３０が送信した使用条件値のうち、撮影自動設定のＯｎ又はＯｆｆを示す値が表示される。自動露出選択フィールド４３６には、使用条件設定部１３０が送信した使用条件値のうち、自動露出の選択の有無を示す値が表示される。フィルム濃度設定フィールド４３７には、使用条件設定部１３０が送信した使用条件値のうち、フィルム濃度を示す値が表示される。透視管電圧値フィールド４３８には、使用条件設定部１３０が送信した使用条件値のうち、透視撮影のおけるＸ管電圧値が表示される。透視管電流値フィールド４３９には、使用条件設定部１３０が送信した使用条件値のうち、透視撮影におけるＸ線管電流値が表示される。透視自動設定Ｏｎ／Ｏｆｆ設定フィールド４４０には、使用条件設定部１３０が送信した使用条件値のうち、透視撮影の自動設定のＯｎ又はＯｆｆを示す値が表示される。パルス幅設定フィールド４４１には、使用条件設定部１３０が送信した使用条件値のうち、パルス幅を示す値が表示される。パルスレート設定フィールド４４２には、使用条件設定部１３０が送信した使用条件値のうち、パルスのレートが表示される。
【００３６】
該当するフィールドを押下することで、該当するフィールドに表示されている個別の使用条件値が修正可能となる。この操作卓４１０に配された図示しない確定ボタンが押下されると、設定画面に表示された使用条件値で駆動を開始する。
【００３７】
このように、本実施形態に係る病院情報システム１００は、医用装置４００からの要求に応じて過去に患者を診断又は治療した際に用いられた使用条件値を送信することで、医用装置４００にその使用条件値を設定する。これにより、過去に診断又は治療を経験した患者であれば、再度使用条件値を設定する必要がなくなるため、診断又は治療の効率が向上する。また、使用条件値の設定ミスが低減し、診断又は治療をやり直すことによる患者の負担を低減することができる。
【００３８】
尚、本実施形態では、医用装置４００から患者ＩＤと医用装置種別が送信されたことを契機として、医用装置４００に使用条件値を初期設定するようにしたが、他のネットワーク上の端末から患者ＩＤと医用装置種別が送信されたことを契機として、医用装置４００に使用条件値を初期設定するようにしてもよい。
【００３９】
（第２の実施形態）
図８は、第２の実施形態に係る病院情報システム１００の構成を示すブロック図である。第２の実施形態に係る病院情報システム１００では、患者が初診等であって、患者別テーブル１７０に患者に対応する使用条件値が記憶されていない場合に、患者の性別や問診科から使用条件値を決定し、医用装置４００に設定するものである。
【００４０】
この病院情報システム１００は、受付情報記憶部１４０と初期値テーブル記憶部１５０がさらに加わって構成される。受付情報記憶部１４０は、主に通信インターフェースと主記憶装置と外部記憶装置とから構成される。初期値テーブル記憶部１５０は、主に主記憶装置と外部記憶装置とから構成される。
【００４１】
受付情報記憶部１４０は、受付端末２００又は問診端末３００で入力された患者ＩＤと性別と問診科とが組になって記憶されている。
【００４２】
初期値テーブル記憶部１５０は、初期値テーブル１９０を記憶している。図９は、初期値テーブル１９０を示す図である。
【００４３】
初期値テーブル１９０は、性別と問診科毎の使用条件値を医用装置４００毎に対応付けたテーブルである。即ち、性別と問診科とで特定される以外は患者の別を問わない汎用的に使用されるデフォルトの使用条件値、換言すると一般使用条件値が格納されている。この初期値テーブル１９０は、複数のレコードからなり、各レコードには、性別項目１９１と問診科項目１９２と医用装置種別項目１７２と使用条件値項目１７３とが対応付けられている。初期値テーブル１９０は、性別項目１９１と問診科項目１９２と医用装置種別項目１７２に記録される情報の各組み合わせに各使用条件値を対応させた各レコードで構成されている。性別項目１９１には、男又は女を示す情報が記憶されている。問診科項目１９２には、内科、外科、循環器科等を示す情報が記憶されている。
【００４４】
図１０は、このような病院情報システム１００において、初期使用条件値を医用装置に設定する動作を示すフローチャートである。
【００４５】
まず、医用装置４００は、病院情報システム１００に対して、患者ＩＤと医用装置種別を示す情報を送信する（Ｓ２１）。病院情報システム１００において、使用条件設定部１３０は、患者ＩＤと医用装置種別を示す情報を受信すると、患者別テーブル１７０を参照して、受信した患者ＩＤと医用装置種別が患者ＩＤ項目１７１と医用装置種別項目１７２に記録されたレコードを検索する（Ｓ２２）。
【００４６】
該当するレコードが見つからなければ、使用条件設定部１３０は、受信した患者ＩＤと組になっている性別及び問診科を示す情報を受付情報記憶部１４０から探し（Ｓ２３）、該当する性別及び問診科を示す情報を受付情報記憶部１４０から取り出す（Ｓ２４）。
【００４７】
性別及び問診科を示す情報を取り出すと、使用条件設定部１３０は、初期値テーブル１９０を参照して、取り出した性別と問診科を示す情報及び受信した医用装置種別が性別項目１９１と問診科項目１９２と医用装置種別項目１７２に記録されたレコードを検索する（Ｓ２５）。
【００４８】
使用条件設定部１３０は、該当するレコードを特定すると、該当するレコードの使用条件値項目１７３に記録されている使用条件値を取り出す（Ｓ２６）。使用条件値を取り出すと、使用条件設定部１３０は、取り出した使用条件値を医用装置４００に送信する（Ｓ２７）。
【００４９】
そして、医用装置４００では、受信した使用条件値が表示されて、修正の操作がなされた後、確定された使用条件値に従い駆動が開始される（Ｓ１５〜Ｓ１９）。
【００５０】
この第２の実施形態に係る病院情報システム１００によると、患者が初診等の場合によって過去に診断又は治療を受けていなくとも、デフォルトの使用条件値が医用装置４００に設定されるため、その設定された使用条件を修正するだけで医用装置４００の使用が可能となる。従って、患者が初診等の場合であっても、診断又は治療の効率が向上し、また、使用条件値の設定ミスが低減し、診断又は治療をやり直すことによる患者の負担を低減することができる。
【００５１】
（第３の実施形態）
図１１は、第３の実施形態に係る病院情報システム１００の構成を示すブロック図である。第３の実施形態に係る病院情報システム１００では、受付端末２００によって受付けを済ませ、又は問診端末３００によって問診中又は問診を済ませたことが確定していなければ、医用装置４００に使用条件値を設定しない。
【００５２】
この病院情報システム１００は、フラグ付与部１６０をさらに加えて構成される。フラグ付与部１６０は、主に演算制御装置と通信インターフェースから構成される。
【００５３】
このフラグ付与部１６０は、患者別テーブル１７０のレコードに対してフラグを付加する。受付端末２００には、患者の来院時に患者ＩＤが入力される。受付端末２００は、入力された患者ＩＤを病院情報システム１００に送信する。また、問診端末３００には、問診を受けている患者の患者ＩＤが入力される。電子カルテの取得等のためである。問診端末３００は、入力された患者ＩＤを病院情報システム１００に送信する。フラグ付与部１６０は、受付端末２００又は問診端末３００が送信した患者ＩＤを受信して、受信した患者ＩＤが患者ＩＤ項目１７１に記録されているレコードにフラグを付与する。即ち、受付端末２００又は問診端末３００から受付けや問診に際して入力された患者ＩＤを受信して、この受信した患者ＩＤにフラグを付すことで、受付端末２００又は問診端末３００で入力された患者ＩＤを予め特定しておく特定部となる。
【００５４】
図１２は、第３の実施形態に係る患者別テーブル１７０を示す図である。患者別テーブル１７０は、さらにフラグ項目１９３を含み構成される。フラグ付与部１６０は、受付端末２００又は問診端末３００から受信した患者ＩＤを記録しているレコードのフラグ項目１９３にフラグを記録する。
【００５５】
図１３は、第３の実施形態に係る病院情報システム１００において、受付端末２００又は問診端末３００で入力された患者ＩＤを予め特定しておく動作を示すフローチャートである。
【００５６】
まず、受付端末２００又は問診端末３００には、患者ＩＤが入力される（Ｓ３１）。患者ＩＤが入力されると、受付端末２００又は問診端末３００は、入力された患者ＩＤを病院情報システム１００に送信する（Ｓ３２）。
【００５７】
病院情報システム１００において、フラグ付与部１６０は、患者ＩＤを受付端末２００又は問診端末３００から受信すると、患者別テーブル１７０を参照して、受信した患者ＩＤを患者ＩＤ項目に記録したレコードを検索する（Ｓ３３）。
【００５８】
該当するレコードが見つかると、フラグ付与部１６０は、該当するレコードのフラグ項目１９３にフラグを記録する（Ｓ３４）。
【００５９】
このフラグ付与の処理によって、受付端末２００又は問診端末３００で入力された患者ＩＤが受付けや問診の段階で予め特定され、その後の使用条件値を医用装置４００に送信する処理で使用される。
【００６０】
図１４は、第３の実施形態に係る病院情報システム１００において、使用条件値を医用装置４００に設定する動作を示すフローチャートである。
【００６１】
まず、医用装置４００は、病院情報システム１００に対して、患者ＩＤと医用装置種別を示す情報を送信する（Ｓ４１）。病院情報システム１００において、使用条件設定部１３０は、患者ＩＤと医用装置種別を示す情報を受信すると、患者別テーブル１７０を参照して、受信した患者ＩＤと医用装置種別とが患者ＩＤ項目１７１と医用装置種別項目１７２とに記録されたレコードを検索する（Ｓ４２）。
【００６２】
使用条件設定部１３０は、該当するレコードを特定すると、該当するレコードのフラグ項目１９３にフラグが記憶されているかチェックする（Ｓ４３）。
【００６３】
フラグが記録されていれば（Ｓ４３，Ｙｅｓ）、使用条件値項目１７３に記録されている使用条件値を取り出す（Ｓ４４）。使用条件値を取り出すと、使用条件設定部１３０は、取り出した使用条件値を医用装置４００に送信する（Ｓ４５）。
【００６４】
医用装置４００では、受信した使用条件値を表示し、入力インターフェースを用いた修正操作がなされると、その修正操作に従って受信した使用条件値を修正する（Ｓ１５〜Ｓ１７）。そして、入力インターフェースを用いた確定操作がなされると、確定された使用条件値に従った駆動を開始する（Ｓ１８〜Ｓ１９）。
【００６５】
一方、フラグが記録されていなければ（Ｓ４３，Ｎｏ）、患者ＩＤと医用装置種別を示す情報を送信した医用装置４００に対して、使用条件値を送信せずに、その患者は来院していない旨のメッセージを送信する（Ｓ４６）。医用装置４００では、受信したメッセージを表示する（Ｓ４７）。
【００６６】
このように、第３の実施形態に係る病院情報システム１００は、受付端末２００や問診端末３００から患者ＩＤが予め送信されていなければ、使用条件値を送信しない。従って、医用装置４００側で起きた患者ＩＤの入力ミスが原因で、被験者の患者別使用条件値ではない使用条件値を用いて診断や治療を行ってしまうことが防止され、診断又は治療をやり直すことによる患者の負担を低減することができる。
【図面の簡単な説明】
【００６７】
【図１】病院情報システムを含むネットワークを示すネットワーク図である。
【図２】第１の実施形態に係る病院情報システムの構成を示すブロック図である。
【図３】第１の実施形態に係る患者別テーブルを示す図である。
【図４】患者別テーブルの作成動作を示すフローチャートである。
【図５】患者別使用条件値を医用装置に設定する動作を示すフローチャートである。
【図６】医用装置の操作卓を示す模式図である。
【図７】医用装置の操作卓に表示される設定画面を示す模式図である。
【図８】第２の実施形態に係る病院情報システムの構成を示すブロック図である。
【図９】初期値テーブルを示す図である。
【図１０】初期使用条件値を医用装置に設定する動作を示すフローチャートである。
【図１１】第３の実施形態に係る病院情報システムの構成を示すブロック図である。
【図１２】第３の実施形態に係る患者別テーブルを示す図である。
【図１３】第３の実施形態において、受付端末又は問診端末で入力された患者ＩＤを予め特定しておく動作を示すフローチャートである。
【図１４】第３の実施形態において、患者別使用条件値を医用装置に設定する動作を示すフローチャートである。
【符号の説明】
【００６８】
１００  病院情報システム
１１０  テーブル作成部
１２０  患者別テーブル記憶部
１３０  使用条件設定部
１４０  受付情報記憶部
１５０  初期値テーブル記憶部
１６０  フラグ付与部
１７０  患者別テーブル
１７１  患者ＩＤ項目
１７２  医用装置種別項目
１７３  使用条件値項目
１７４  撮影管電圧値項目
１７５  撮影管電流値項目
１７６  撮影時間項目
１７７  術式選択項目
１７８  撮影自動設定Ｏｎ／Ｏｆｆ項目
１７９  自動露出選択項目
１８０  フィルム濃度設定項目
１８１  透視管電圧値項目
１８２  透視管電流値項目
１８３  透視自動設定Ｏｎ／Ｏｆｆ設定項目
１８４  パルス幅設定項目
１８５  パルスレート設定項目
１９０  初期値テーブル
１９１  性別項目
１９２  問診科項目
１９３  フラグ項目
２００  受付端末
３００  問診端末
４００  医用装置
４１０  操作卓
４２０  タッチパネル操作部
４３１  撮影管電圧値フィールド
４３２  撮影管電流値フィールド
４３３  撮影時間フィールド
４３４  術式選択フィールド
４３５  撮影自動設定Ｏｎ／Ｏｆｆフィールド
４３６  自動露出選択フィールド
４３７  フィルム濃度設定フィールド
４３８  透視管電圧値フィールド
４３９  透視管電流値フィールド
４４０  透視自動設定Ｏｎ／Ｏｆｆ設定フィールド
４４１  パルス幅設定フィールド
４４２  パルスレート設定フィールド
【図１】
2009087112.tif 000003
【図２】
2009087112.tif 000004
【図３】
2009087112.tif 000005
【図４】
2009087112.tif 000006
【図５】
2009087112.tif 000007
【図６】
2009087112.tif 000008
【図７】
2009087112.tif 000009
【図８】
2009087112.tif 000010
【図９】
2009087112.tif 000011
【図１０】
2009087112.tif 000012
【図１１】
2009087112.tif 000013
【図１２】
2009087112.tif 000014
【図１３】
2009087112.tif 000015
【図１４】
2009087112.tif 000016